(57)【要約】【課題】筋肉量推定の誤差要因となる細胞外液量の影響を軽減して精度良く、またできるだけ簡便に筋肉量を推定するための方法及び装置を提供することを課題とする。【解決手段】本発明の筋肉量推定方法では、被験者の細胞内液抵抗を測定し、この細胞内液抵抗に基づいて筋肉量を推定するので、日常生活で変動し易い細胞外液量の影響を軽減して精度の高い筋肉量の推定が可能となる。また、本発明の筋肉量推定装置では、被験者の細胞内液抵抗を測定する細胞内液抵抗測定手段と、測定された細胞内液抵抗に基づき被験者の筋肉量を推定する筋肉量推定手段とを備えているので、日常生活で変動し易い細胞外液量の影響を軽減して精度の高い筋肉量推定が可能な装置とすることができる。【選択図】図３
2004344348.tif 000002
【特許請求の範囲】
【請求項１】
被験者の細胞内液抵抗を測定する手順と、測定された細胞内液抵抗に基づき被験者の筋肉量を推定する手順とを含むことを特徴とする筋肉量推定方法。
【請求項２】
前記被験者の筋肉量を推定する手順が、被験者の身長、体重及び年齢を含む個人情報を取得する手順と、この取得された個人情報と前記測定された細胞内液抵抗とを変数として予め与えられた所定の推定式に基づいて被験者の筋肉量を算出する手順とを含むことを特徴とする請求項１記載の筋肉量推定方法。
【請求項３】
前記所定の推定式が、次の式（１）によって与えられていることを特徴とする請求項２記載の筋肉量推定方法。
ＭＶ＝ａ×Ｈｔ２／ＺＩＣＷ＋ｂ×Ｗｔ＋ｃ×Ａｇｅ＋ｄ      ・・・（１）
ＭＶ：被験者の推定筋肉量
Ｈｔ：被験者の身長
Ｗｔ：被験者の体重
Ａｇｅ：被験者の年齢
ＺＩＣＷ：被験者の細胞内液抵抗
ａ、ｂ、ｃ、ｄ：定数
【請求項４】
前記被験者の細胞内液抵抗を測定する手順が、被験者の細胞膜の外側を流れる程度に低い周波数の交流電流を被験者の所定の身体部位間に流すことにより被験者の細胞外液抵抗を測定する手順と、被験者の細胞膜の外側及び内側を流れる程度に高い周波数の交流電流を被験者の所定の身体部位間に流すことにより被験者の体水分抵抗を測定する手順と、測定された体水分抵抗の逆数から測定された細胞外液抵抗の逆数を減じた値の逆数を被験者の細胞内液抵抗として算出する手順とを含むことを特徴とする請求項１乃至３記載の筋肉量推定方法。
【請求項５】
前記所定の身体部位間が、被験者の両足間であることを特徴とする請求項４記載の筋肉量推定方法。
【請求項６】
前記所定の身体部位間が、被験者の手足間であることを特徴とする請求項４記載の筋肉量推定方法。
【請求項７】
前記所定の身体部位間が、被験者の両手間であることを特徴とする請求項４記載の筋肉量推定方法。
【請求項８】
被験者の細胞内液抵抗を測定する細胞内液抵抗測定手段と、測定された細胞内液抵抗に基づき被験者の筋肉量を推定する筋肉量推定手段とを備えることを特徴とする筋肉量推定装置。
【請求項９】
前記筋肉量推定手段が、被験者の身長、体重及び年齢を含む個人情報を取得する個人情報取得手段と、この取得された個人情報と前記測定された細胞内液抵抗とを変数として予め与えられた所定の推定式に基づいて被験者の筋肉量を算出する筋肉量算出手段とからなることを特徴とする請求項８記載の筋肉量推定装置。
【請求項１０】
前記所定の推定式が、前記式（１）によって与えられていることを特徴とする請求項９記載の筋肉量推定装置。
【請求項１１】
前記細胞内液抵抗測定手段が、被験者の細胞膜の外側を流れる程度に低い周波数の交流電流を被験者の所定の身体部位間に流すことにより被験者の細胞外液抵抗を測定する細胞外液抵抗測定手段と、被験者の細胞膜の外側及び内側を流れる程度に高い周波数の交流電流を被験者の所定の身体部位間に流すことにより被験者の体水分抵抗を測定する体水分抵抗測定手段と、測定された体水分抵抗の逆数から測定された細胞外液抵抗の逆数を減じた値の逆数を被験者の細胞内液抵抗として算出する細胞内液抵抗算出手段とからなることを特徴とする請求項８乃至１０記載の筋肉量推定装置。
【請求項１２】
前記所定の身体部位間が、被験者の両足間であることを特徴とする請求項１１記載の筋肉量推定装置。
【請求項１３】
前記所定の身体部位間が、被験者の手足間であることを特徴とする請求項１１記載の筋肉量推定装置。
【請求項１４】
前記所定の身体部位間が、被験者の両手間であることを特徴とする請求項１１記載の筋肉量推定装置。
【発明の詳細な説明】
【０００１】
【発明の属する技術分野】
本発明は、被験者の筋肉量を推定するための方法及び装置に関し、より詳しくは、筋肉量推定時の誤差要因となる細胞外液量の影響を軽減して、精度良く且つ簡便に筋肉量を推定するための方法及び装置に関する。
【０００２】
【従来の技術】
被験者の筋肉量を測定する方法として、従来から磁気共鳴映像法（Ｍａｇｎｅｔｉｃ  Ｒｅｓｏｎａｎｃｅ  Ｉｍａｇｉｎｇ：以下「ＭＲＩ」と略称する。）、コンピュータ断層撮影法（Ｃｏｍｐｕｔｅｄ  Ｔｏｍｏｇｒａｐｈｙ：以下「ＣＴ」と略称する。）、二重エネルギーＸ線吸収測定法（Ｄｕａｌ  Ｅｎｅｒｇｙ  Ｘ−ｒａｙ  Ａｂｓｏｒｐｔｉｏｍｅｔｒｙ：以下「ＤＥＸＡ」と略称する。）等が知られている。これらＭＲＩやＣＴ、ＤＥＸＡは、被験者の筋肉量を高精度に測定することができるものの、その実施には非常に大掛かりな設備や装置が必要であり、家庭や小規模な医療施設等で容易に利用できるものではない。また、ＣＴ及びＤＥＸＡにおいてはＸ線を利用するため、Ｘ線被爆も懸念される。
【０００３】
一方、近年では、被験者の身体に微弱な交流電流を流し、その際に測定される生体電気インピーダンスに基づいて筋肉量を推定算出する方法が提案されている。この方法は、測定した生体電気インピーダンスに基づいて被験者の身体組織に含有される水分（以下「体水分」と称する。）の量を求め、次いでこの体水分量に基づいて除脂肪量を求め、一方で生体電気インピーダンスに基づいて骨量を求めておき、最終的に除脂肪量から骨量を差引いて、得られた結果を筋肉量と見做すものであり、前述のＭＲＩやＣＴ、ＤＥＸＡに比して簡便な装置で実施できるため、家庭や小規模な医療施設等における利用に適している（例えば、特許文献１参照。）。
【０００４】
【特許文献１】
国際公開第０１／０１５６００号公報（第２３頁）
【０００５】
【発明が解決しようとする課題】
ところで、体水分は、細胞膜の内側に存在する細胞内液と細胞膜の外側に存在する細胞外液とで構成されているが、このうち細胞外液は、細胞内液に比して、飲水や発汗、排尿等の日常生活によりその量が大きく変動し易い。このため、前述の如く生体電気インピーダンスに基づいて求めた体水分量から筋肉量を推定する方法では、推定結果がその時々の細胞外液量によって左右され易く（所謂、日内変動）、精度の高い推定が困難であった。
【０００６】
従って、この発明は、筋肉量推定の誤差要因となる細胞外液量の影響を軽減して精度良く、またできるだけ簡便に筋肉量を推定するための方法及び装置を提供することを課題とする。
【０００７】
【課題を解決するための手段】
本発明の筋肉量推定方法では、被験者の細胞内液抵抗を測定する手順と、測定された細胞内液抵抗に基づき被験者の筋肉量を推定する手順とを含むこととする。
【０００８】
また、本発明の筋肉量推定方法では、前記被験者の筋肉量を推定する手順が、被験者の身長、体重及び年齢を含む個人情報を取得する手順と、この取得された個人情報と前記測定された細胞内液抵抗とを変数として予め与えられた所定の推定式に基づいて被験者の筋肉量を算出する手順とを含むこととする。
【０００９】
また、本発明の筋肉量推定方法では、前記所定の推定式が、次の式（１）によって与えられていることとする。
ＭＶ＝ａ×Ｈｔ２／ＺＩＣＷ＋ｂ×Ｗｔ＋ｃ×Ａｇｅ＋ｄ      ・・・（１）
ＭＶ：被験者の推定筋肉量
Ｈｔ：被験者の身長
Ｗｔ：被験者の体重
Ａｇｅ：被験者の年齢
ＺＩＣＷ：被験者の細胞内液抵抗
ａ、ｂ、ｃ、ｄ：定数
【００１０】
また、本発明の筋肉量推定方法では、前記被験者の細胞内液抵抗を測定する手順が、交流電流を細胞膜の外側を流れる程度に低い周波数で被験者の所定の身体部位間に流すことにより被験者の細胞外液抵抗を測定する手順と、交流電流を細胞膜の内側を流れる程度に高い周波数で被験者の所定の身体部位間に流すことにより被験者の体水分抵抗を測定する手順と、測定された体水分抵抗の逆数から測定された細胞外液抵抗の逆数を減じた値の逆数を被験者の細胞内液抵抗として算出する手順とを含むこととする。
【００１１】
また、本発明の筋肉量推定方法では、前記所定の身体部位間が、被験者の両足間であることとする。
【００１２】
また、本発明の筋肉量推定方法では、前記所定の身体部位間が、被験者の手足間であることとする。
【００１３】
また、本発明の筋肉量推定方法では、前記所定の身体部位間が、被験者の両手間であることとする。
【００１４】
また、本発明の筋肉量推定装置では、被験者の細胞内液抵抗を測定する細胞内液抵抗測定手段と、測定された細胞内液量に関する情報に基づき被験者の筋肉量を推定する筋肉量推定手段とを備えることとする。
【００１５】
また、本発明の筋肉量推定装置では、前記筋肉量推定手段が、被験者の身長、体重及び年齢を含む個人情報を取得する個人情報取得手段と、この取得された個人情報と前記測定された細胞内液抵抗とを変数として予め与えられた所定の推定式に基づいて被験者の筋肉量を算出する筋肉量算出手段とからなることとする。
【００１６】
また、本発明の筋肉量推定装置では、前記所定の推定式が、前記式（１）によって与えられていることとする。
【００１７】
また、本発明の筋肉量推定装置では、前記細胞内液抵抗測定手段が、被験者の細胞膜の外側を流れる程度に低い周波数の交流電流を被験者の所定の身体部位間に流すことにより被験者の細胞外液抵抗を測定する手順と、被験者の細胞膜の外側及び内側を流れる程度に高い周波数の交流電流を被験者の所定の身体部位間に流すことにより被験者の体水分抵抗を測定する手順と、測定された体水分抵抗の逆数から測定された細胞外液抵抗の逆数を減じた値の逆数を被験者の細胞内液抵抗として算出する細胞内液抵抗算出手段とからなることとする。
【００１８】
また、本発明の筋肉量推定装置では、前記所定の身体部位間が、被験者の両足間であることとする。
【００１９】
また、本発明の筋肉量推定装置では、前記所定の身体部位間が、被験者の手足間であることとする。
【００２０】
また、本発明の筋肉量推定装置では、前記所定の身体部位間が、被験者の両手間であることとする。
【００２１】
【発明の実施の形態】
本発明の筋肉量推定方法及び筋肉量推定装置では、被験者の細胞内液抵抗を測定し、この細胞内液抵抗に基づいて筋肉量を推定するので、日常生活で変動し易い細胞外液量の影響を軽減して精度の高い筋肉量の推定が可能となる。
【００２２】
また、前記筋肉量の推定には、被験者の身長、体重及び年齢を含む個人情報を取得し、この個人情報と前記細胞内液抵抗とを変数として予め与えられた所定の推定式を用いることが望ましい。予め与えられた推定式を用いることにより、本発明の筋肉量推定方法及び装置を簡便なものとすることができる。
【００２３】
また、前記推定式は、前記式（１）によって与えられているのが望ましい。本願出願人の行った確認試験によれば、式（１）によって与えられた推定式を用いることで、精度の高い筋肉量の推定が可能であることが確認されている。
【００２４】
また、前記細胞内液抵抗の測定は、被験者の細胞膜の外側を流れる程度に低い周波数の交流電流を所定の身体部位間に流すことにより被験者の細胞外液抵抗を測定し、被験者の細胞膜の外側及び内側を流れる程度に高い周波数の交流電流を所定の身体部位間に流すことにより被験者の体水分抵抗を測定し、測定された体水分抵抗の逆数から測定された細胞外液抵抗の逆数を減じた値の逆数を被験者の細胞内液抵抗として算出することによって行うのが望ましい。これにより、前記細胞内液抵抗を簡便に測定することができ、従って本発明の筋肉量推定方法及び装置を簡便なものとすることができる。
【００２５】
また、前記所定の身体部位間は、被験者の両足間、手足間又は両手間の何れであっても、精度の高い筋肉量の推定が可能であることが確認されている。
【００２６】
【実施例】
以下、本発明の好適な実施例を、図面を用いて説明する。図１は、本発明の筋肉量推定方法を実施可能に構成された、本発明による筋肉量推定装置１の外観斜視図である。また、図２は、この筋肉量推定装置１に内蔵された電気回路構成の概要を示すブロック図である。また、図３は、この筋肉量推定装置１が実行する制御処理の流れを示すフローチャートである。そして、図４乃至図８は、本発明の効果を確認するために本願出願人がこの筋肉量推定装置１を用いて実施した確認試験の結果を示す図である。
【００２７】
図１に示されるように、この筋肉量推定装置１は、その本体２が基台２ａと基台２ａに載置された載台２ｂとから構成されており、載台２ｂの上面には、被験者の所定の身体部位間に交流電流を流すための通電電極３ａ、３ｂと、交流電流を流した状態で前記所定の身体部位間に生じる電圧（電位差）を測定するための測定電極４ａ、４ｂと、この筋肉量推定装置１で推定された筋肉量の表示等に用いる公知の液晶画面等からなる表示装置５と、被験者が性別、年齢、身長等（以下、本実施例において「個人データ」と総称する。）を入力するための入力装置６とが配設されている。ここで、入力装置６は、入力データの選択操作等に用いる選択キー６ａ、６ｂと、入力データの決定操作等に用いる決定キー６ｃとを含んでいる。また、本体２の側面には、既に入力済みの個人データがある場合にこれを呼出すための４つのキー７ａ、７ｂ、７ｃ、７ｄからなる個人キー７と、電源キー８とが配設されている。
【００２８】
また、図２に示されるように、この筋肉量推定装置１の本体２の内部には、前記通電電極３ａ、３ｂに接続された電流供給回路９と、前記測定電極４ａ、４ｂに接続された電圧測定回路１０と、荷重に応じた電圧を出力する重量センサ１１と、これら電圧測定回路１０及び重量センサ１１からの電圧をデジタル信号に変換するＡ／Ｄ変換器１２と、前記表示装置５及び前記入力装置６に接続された入出力回路１３と、入力された個人データ、測定された体重、推定された筋肉量等を記憶させるための記憶装置１４と、電池を含む電源装置１５と、これら電流供給回路９、Ａ／Ｄ変換器１２、入出力回路１３、記憶装置１４及び電源装置１５に電気的に接続された制御装置１６とが配設されている。
【００２９】
このような構成において、制御装置１６は、公知の演算素子（ＣＰＵ）を含み、前記記憶装置１４に予め記憶された制御プログラムを実行することにより、前記通電電極３ａ、３ｂに後述する２種類の周波数の交流電流を順次供給する制御、この電流値と前記測定電極４ａ、４ｂで検出される電圧とに基づいて被験者の生体電気インピーダンスを測定する制御、この生体電気インピーダンスと前記入力装置６で入力された被験者の個人データ及び前記重量センサ１１で測定された被験者の体重とから被験者の筋肉量等を推定算出する制御、並びに入力された個人データ、測定された体重、推定された筋肉量等を前記記憶装置１４に記憶させる制御等、各種の制御処理を実行する。
【００３０】
図３に示されるように、被験者が電源キー８を押下して筋肉量推定装置１の電源をオンとすると、制御装置１６は、まずステップＳ１において筋肉量推定装置１全体の初期化処理を行う。この初期化処理により、前回の制御処理実行時に記憶装置１４に一時的に記憶させたデータやタイマカウント値等が初期化される。
【００３１】
次いで、被験者が個人キー７ａ、７ｂ、７ｃ、７ｄの何れかを押下すると、制御装置１６は、ステップＳ２において、押下された個人キーに対応する個人データが記憶装置１４に記憶されているか否かの判定を行う。ここで、個人データが記憶されている場合は、ステップＳ３において当該個人データを読込んだ後、ステップＳ４において当該個人データを、被験者による確認のための選択肢（例えば、「Ｙｅｓ」と「Ｎｏ」）と共に表示装置５に表示する。次いで、ステップＳ５において、被験者が入力装置６の選択キー６ａ、６ｂ及び決定キー６ｃを操作して表示された個人データを肯定する選択操作を行った場合は、ステップＳ１１へ進む。一方、ステップＳ２において記憶装置１４に個人データが記憶されていないと判定された場合、及びステップＳ５において被験者が表示された個人データを否定する選択操作を行った場合には、ステップＳ６へ進む。
【００３２】
次いで、制御装置１６は、ステップＳ６において被験者の性別の入力を促すメッセージを表示装置５に表示し、被験者が入力装置６を操作して性別を入力すると、ステップＳ７へ進む。ステップＳ７では被験者の年齢の入力を促すメッセージを表示装置５に表示し、被験者が入力装置６を操作して年齢を入力すると、ステップＳ８に進む。ステップＳ８では被験者の身長の入力を促すメッセージを表示装置５に表示し、被験者が入力装置６を操作して身長を入力すると、ステップＳ９に進む。ステップＳ９では、ステップＳ６からステップＳ８までの制御処理によって入力された被験者の個人データを、ステップＳ４と同様に、被験者による確認のための選択肢と共に表示装置５に表示する。次いで、ステップＳ１０において被験者が入力装置６を操作して表示された個人データを肯定する選択操作を行った場合は、表示中の個人データを、先に被験者が押下した個人キーに対応する個人データとして記憶装置１４に記憶させ、その後ステップＳ１１へ進む。一方、ステップＳ１０において被験者が表示された個人データを否定する選択操作を行った場合には、ステップＳ６へ戻る。
【００３３】
ステップＳ１１において、制御装置１６は、被験者が載台２ｂの上面に、左足裏の爪先側を前記電流供給用電極３ａに、左足裏の踵側を前記電圧測定用電極４ａに、右足裏の爪先側を前記電流供給用電極３ａに、右足裏の踵側を前記電圧測定用電極３ｂに、夫々接触させて乗ることを促すメッセージを、表示装置５に表示する。ここで、被験者が斯かるメッセージに従って載台２ｂの上面に乗ると、制御装置１６は、重量センサ１１により検出される電圧に基づき、被験者の体重を測定する。
【００３４】
次いで、制御装置１６は、ステップＳ１２において、電流供給回路９から通電電極３ａ、３ｂを介して被験者の両足間に周波数４ｋＨｚの交流電流を供給すると共に、測定電極４ａ、４ｂから電圧測定回路１０を介して被験者の両足間の電圧（電位差）を検出し、これら供給電流値と検出電圧値とからオームの法則に基づき被験者の生体電気インピーダンスを測定する。ここで、４ｋＨｚ程度の低い周波数の交流電流は生体の細胞膜の外側を流れることが知られており、従って、このように低い周波数の交流電流を用いて測定された生体電気インピーダンスは、被験者の細胞外液の抵抗を表している。
【００３５】
次いで、制御装置１６は、ステップＳ１３において、電流供給回路９から通電電極３ａ、３ｂを介して被験者の両足間に周波数２５６ｋＨｚの交流電流を供給すると共に、測定電極４ａ、４ｂから電圧測定回路１０を介して被験者の両足間の電圧を検出し、これら供給電流値と検出電圧値とからオームの法則に基づき被験者の生体電気インピーダンスを測定する。ここで、２５６ｋＨｚ程度の高い周波数の交流電流は生体の細胞膜の外側及び内側を流れることが知られており、従って、このように高い周波数の交流電流を用いて測定された生体電気インピーダンスは、被験者の細胞外液と細胞内液とからなる体水分全体の抵抗を表している。
【００３６】
次いで、制御装置１６は、ステップＳ１４において、ステップＳ１２で測定された細胞外液抵抗とステップＳ１３で測定された体水分抵抗とに基づいて被験者の細胞内液抵抗を求める演算処理と、この細胞内液抵抗と被験者の身長、体重及び年齢とに基づいて被験者の筋肉量を求める演算処理とを実行する。
【００３７】
まず、被験者の細胞内液抵抗については、被験者の身体を細胞内液抵抗（ＺＩＣＷ）と細胞外液抵抗（ＺＥＣＷ）とからなる並列回路に見立て、斯かる並列回路全体の抵抗が体水分抵抗（ＺＴＢＷ）であると考えると、体水分抵抗の逆数は細胞内液抵抗の逆数と細胞外液抵抗の逆数との和に等しい（１／ＺＴＢＷ＝１／ＺＩＣＷ＋１／ＺＥＣＷ）ということができる。この関係を踏まえ、体水分抵抗の逆数から細胞外液抵抗の逆数を減じた値の逆数をとることで、細胞内液抵抗を簡便に求めることができる。
【００３８】
また、被験者の筋肉量については、被験者の細胞内液抵抗と身長、体重及び年齢とを変数とした所定の推定式、望ましくは前記式（１）で与えられる推定式を用いることにより求めることができる。この式（１）で与えられる推定式を用いることにより、図４から図８を用いて後述する通り、筋肉量の推定を精度良く行えることが確認されている。
【００３９】
尚、前記式（１）で与えられる推定式は、次のようにして作成した。まず、相当数の被験者集団の夫々について、その身体に微量に含有される放射性同位体（カリウム）からの放射線量を計測して身体中のカリウム量を求める。次に、この身体中のカリウム量から、細胞外液中のカリウム量と細胞内液中のカリウム量との比率が一定であることに着目して、夫々の細胞外液量を求める。一方で、この被験者集団の夫々について公知のＤＥＸＡを用いて除脂肪量を測定し、この除脂肪量から、上記身体中のカリウム量から求めた細胞外液量を減じることによって、夫々の被験者の筋肉量を測定する。このようにして測定した被験者夫々の筋肉量と、同被験者夫々の身長、体重、年齢、生体電気インピーダンス（細胞内液抵抗）等とについて重回帰分析を行うことによって、前記式（１）で与えられる回帰式を取得した。
【００４０】
そして、本実施例の筋肉量推定装置１においては、上記の各演算を行うための演算プログラムが予め記憶装置１４に記憶されており、制御装置１６は、ステップＳ１４においてこの演算プログラムを実行することにより、被験者の筋肉量を推定算出するものである。
【００４１】
次いで、制御装置１６は、ステップＳ１５において、ステップＳ１１で測定された体重とステップＳ１４で推定算出された筋肉量とを所定の時間だけ表示装置５に表示し、その後電源をオフとして、全ての制御処理を終了する。
【００４２】
図４、図５、図６は、相当数の被験者集団について、本実施例の筋肉量推定装置１を用いて推定した筋肉量を横軸に、前述した身体中のカリウム量から測定した筋肉量を縦軸に夫々プロットして、両者の相関を示した図である。横軸の推定筋肉量は、前述の通り４ｋＨｚの低周波交流電流と２５６ｋＨｚの高周波交流電流とを用いて細胞外液抵抗と体水分抵抗とを測定して細胞内液抵抗を求め、式（１）で与えられる推定式により推定算出したものである。但し、図４は前述の通り被験者の両足間に前記交流電流を流した場合の推定筋肉量をプロットしているが、図５では手足間に、図６では両手間に前記交流電流を流した場合の推定筋肉量をプロットしている。
【００４３】
また、図７は、同じ被験者集団について、従来公知の筋肉量推定装置を用いて推定した筋肉量を横軸に、前述した身体中のカリウム量から測定した筋肉量を縦軸に夫々プロットして、両者の相関を示した図である。この場合、横軸の推定筋肉量は、被験者の両足間に単一周波数（６４ｋＨｚ）の交流電流を流して測定した生体電気インピーダンスに基づいて体水分量、除脂肪量及び骨量を求め、最終的に除脂肪量から骨量を減ずることにより推定算出したものである。
【００４４】
図４から図７の夫々の場合について、推定筋肉量と測定筋肉量との相関度合いを表す相関係数Ｒを比較すると、図４の場合はＲ＝０．８２８１、図５の場合はＲ＝０．８８１９、図６の場合はＲ＝０．８８０４、図７の場合はＲ＝０．７７７０であった。また、図４から図７の夫々の場合における標準誤差ＳＥＥは、図４の場合でＳＥＥ＝３．６１６、図５の場合でＳＥＥ＝３．０４１、図６の場合でＳＥＥ＝３．０５９、図７の場合でＳＥＥ＝４．０６１であった。言うまでもなく、相関係数Ｒは１に近いほど両者間に強い相関があることを示しており、標準誤差ＳＥＥはその値が小さいほど両者間の誤差が小さいことを示している。図４の場合と図７の場合とを比較すれば明らかなように、筋肉量推定装置１で推定された筋肉量は、従来公知の筋肉量推定装置で推定された筋肉量に比して、前述した身体中のカリウム量から測定した筋肉量と高い相関を持ち、精度の高い筋肉量推定がなされていることが確認された。また、図５及び図６の場合から明らかなように、生体電気インピーダンス（細胞外液抵抗及び体水分抵抗）の測定を両足間、手足間、両手間の何れの身体部位間で行った場合においても、精度の高い筋肉量推定がなされていることが確認された。
【００４５】
また、図８は、本実施例の筋肉量推定装置１を用いた場合の推定筋肉量（線Ａ）と、前記従来の筋肉量推定装置を用いた場合の推定筋肉量（線Ｂ）とについて、夫々の装置で推定される筋肉量の日内変動の様子を示した図である。横軸には最初の推定からの経過時間が、縦軸には最初の推定筋肉量に対する変化量がプロットされている。尚、本実施例の筋肉量推定装置１及び従来の筋肉量推定装置の双方とも、同一の被験者について両足間で生体電気インピーダンスを測定している。図８から明らかなように、被験者の細胞内液抵抗を測定することにより細胞外液量の影響を軽減した本実施例の筋肉量推定装置１（線Ａ）では、細胞外液量を含む体水分量から筋肉量を推定する従来の筋肉量推定装置（線Ｂ）に比して、推定筋肉量の変化が小さく、日内変動が抑えられることが確認された。
【００４６】
以上、本発明の実施例について図面を用いて説明してきたが、本発明の実施の形態は、本実施例に限定される必要はなく、種々の変形が可能である。例えば、前記筋肉量推定装置１は、前記表示装置５及び入力装置６を前記本体２とは別体とし、これらの間を電気ケーブルや赤外線等の無線通信で接続する構成であっても良い。また、前記個人キー７の個数は４つよりも多くとも少なくともよく、各個人キー７ａ、７ｂ、７ｃ、７ｄが夫々電源キーの機能を備える構成であっても良い。また、身長の入力は、入力装置６によるばかりでなく、例えば電子メジャー等からなる身長計を本体２に付加しておき、斯かる身長計により身長を測定する構成としても良い。或いは、本体２から重量センサ１１を省き、被験者の体重は入力装置６から入力する構成としても良い。
【００４７】
また、前記筋肉量推定装置１は、測定した生体電気インピーダンスを利用して、被験者の筋肉量のみならず、脂肪量、脂肪率、内臓脂肪面積、内臓脂肪量、体水分量、体水分率、骨量、基礎代謝量等の身体組成に関する様々な情報を求める構成としても良い。
【００４８】
また、被験者の生体電気インピーダンスを測定するための電極は、前記筋肉量推定装置１の如く本体２の上面に配設して被験者の両足間の生体電気インピーダンスを測定するものだけでなく、例えば被験者が左右夫々の手に持つことにより両手間の生体電気インピーダンスを測定するものや、足用電極と手用電極とを備えて手足間の生体電気インピーダンスを測定するものとしても良い。更に、左右夫々の足用電極と左右夫々の手用電極の両方を備えた所謂８電極方式により、右腕、右脚、左腕、左脚等、身体部位別の筋肉量を推定算出することも可能となる。或いは、被験者の生体電気インピーダンスを測定するための電極は、本体２に相当する筐体自体を小型で携帯可能なものとして、この筐体に被験者の掌や指尖に接触させる電極を設けても良い。更には、斯かる電極を身体表面に貼付可能に構成しておき、任意の身体部位間（例えば、肩と肘との間、膝裏と踝間等）で生体電気インピーダンスを測定しても良い。
【００４９】
また、本発明における細胞内液抵抗の測定は、実施例の如く２種類の周波数の交流電流によるばかりでなく、低周波数から高周波数までの３種類以上の周波数の交流電流を用いて各周波数における生体電気インピーダンスを測定し、この結果から求められる生体電気インピーダンスベクトルに基づいて測定することも可能である。
【００５０】
【発明の効果】
本発明の筋肉量推定方法では、被験者の細胞内液抵抗を測定し、この細胞内液抵抗に基づいて筋肉量を推定するので、日常生活で変動し易い細胞外液量の影響を軽減して精度の高い筋肉量の推定が可能となる。
【００５１】
また、前記筋肉量の推定を、被験者の身長、体重及び年齢を含む個人情報を取得し、この個人情報と前記細胞内液抵抗とを変数として予め与えられた所定の推定式に基づいて被験者の筋肉量を算出することとすれば、筋肉量の推定を簡便に行うことができる。
【００５２】
また、前記推定式を、前記式（１）によって与えられる推定式とすることで、精度の高い筋肉量の推定が可能である。
【００５３】
また、前記細胞内液抵抗の測定を、被験者の細胞膜の外側を流れる程度に低い周波数の交流電流を所定の身体部位間に流すことにより被験者の細胞外液抵抗を測定し、被験者の細胞膜の外側及び内側を流れる程度に高い周波数の交流電流を所定の身体部位間に流すことにより被験者の体水分抵抗を測定し、測定された体水分抵抗の逆数から測定された細胞外液抵抗の逆数を減じた値の逆数を被験者の細胞内液抵抗として算出することすれば、前記細胞内液抵抗を簡便に測定することができ、従って筋肉量の推定を簡便に行うことができる。
【００５４】
また、前記所定の身体部位間は、被験者の両足間、手足間又は両手間の何れであっても、精度の高い筋肉量の推定が可能である。
【００５５】
また、本発明の筋肉量推定装置では、被験者の細胞内液抵抗を測定する細胞内液抵抗測定手段と、測定された細胞内液抵抗に基づき被験者の筋肉量を推定する筋肉量推定手段とを備えているので、日常生活で変動し易い細胞外液量の影響を軽減して精度の高い筋肉量推定が可能な装置とすることができる。
【００５６】
また、前記筋肉量推定手段を、被験者の身長、体重及び年齢を含む個人情報を取得する個人情報取得手段と、この取得された個人情報と前記測定された細胞内液抵抗とを変数として予め与えられた所定の推定式に基づいて被験者の筋肉量を算出する筋肉量算出手段とから構成した場合には、筋肉量の推定を簡便に行える装置とすることができる。
【００５７】
また、前記推定式を、式（１）によって与えられる推定式とすることで、精度の高い筋肉量の推定が可能である。
【００５８】
また、前記細胞内液抵抗測定手段を、被験者の細胞膜の外側を流れる程度に低い周波数の交流電流を所定の身体部位間に流すことにより被験者の細胞外液抵抗を測定する細胞外液抵抗測定手段と、被験者の細胞膜の外側及び内側を流れる程度に高い周波数の交流電流を所定の身体部位間に流すことにより被験者の体水分抵抗を測定する体水分抵抗測定手段と、測定された体水分抵抗の逆数から測定された細胞外液抵抗の逆数を減じた値の逆数を被験者の細胞内液抵抗として算出する細胞内液抵抗算出手段とから構成した場合には、前記細胞内液抵抗測定手段を簡便なものとすることができ、従って筋肉量の推定を簡便に行える装置とすることができる。
【００５９】
また、前記所定の身体部位間は、被験者の両足間、手足間又は両手間の何れであっても、精度の高い筋肉量の推定が可能な装置とすることができる。
【図面の簡単な説明】
【図１】本発明の一実施例としての筋肉量推定装置の外観斜視図である。
【図２】図１の筋肉量推定装置の電気回路構成を示すブロック図である。
【図３】図１の筋肉量推定装置で実行する制御処理の流れを示すフローチャートである。
【図４】図１の筋肉量推定装置で推定した筋肉量と公知のＤＥＸＡで測定した筋肉量との相関を示す図である。
【図５】図１の筋肉量推定装置で推定した筋肉量と公知のＤＥＸＡで測定した筋肉量との相関を示す別の図である。
【図６】図１の筋肉量推定装置で推定した筋肉量と公知のＤＥＸＡで測定した筋肉量との相関を示す別の図である。
【図７】従来の筋肉量推定装置で推定した筋肉量と公知のＤＥＸＡで測定した筋肉量との相関を示す図である。
【図８】図１の筋肉量推定装置で推定した筋肉量及び従来の筋肉量推定装置で推定した筋肉量の、夫々の日内変動の様子を示す図である。
【符号の説明】
１    筋肉量推定装置
２    本体
２ａ    基台
２ｂ    載台
３ａ、３ｂ    通電電極
４ａ、４ｂ    測定電極
５    表示装置
６    入力装置
６ａ、６ｂ    選択キー
６ｃ    決定キー
７（７ａ〜７ｄ）    個人キー
８    電源キー
９    電流供給回路
１０    電圧測定回路
１１    重量センサ
１２    Ａ／Ｄ変換器
１３    入出力回路
１４    記憶装置
１５    電源装置
１６    制御装置
【図１】
2004344348.tif 000003
【図２】
2004344348.tif 000004
【図３】
2004344348.tif 000005
【図４】
2004344348.tif 000006
【図５】
2004344348.tif 000007
【図６】
2004344348.tif 000008
【図７】
2004344348.tif 000009
【図８】
2004344348.tif 000010